(57)【要約】本発明は、センサー特にバイオセンサーであって、少なくとも１つの有効面（２０）を備える、電気的又は電子的な絶縁支持部（２）と、何れか所定の作動装置の前記支持部の前記有効面（２ａ）に配置され、かつ前記電極が、例えば、液体のような１つ且つ同じ外部媒体と接触し得る意味合いで露出された電気的又は電子的な導電性電極（３１、３２）と、各々がそれぞれ異なる電極（３１、３２）に多様に取り付けられる複数の配位子と、前記支持部（２）の有効面（２ａ及び２ｂ）に配置され、かつ前記端子が電気的又は電子的に互いに対して別々に前記外側に接続し得るという意味合いで露出される、前記電極（３１）にそれぞれ対応する多重電極端子（４）と、各々が前記多重電極（３１及び３２）を前記多重端子（４）にそれぞれ接続する、前記支持部（２）の面の一方（２ａ）及び／又は他方（２ｂ）に沿って延びる電気的又は電子的な導電性トラック（５）と、一方で少なくとも部分的に前記トラック（５）を覆い、他方で前記電極（３１、３２）と前記端子（５）の両方を露出させる前記支持部（２）の一方の面（２ａ）及び／又は他方の面（２ｂ）を被覆する電気的又は電子的絶縁材料から成る層（６）と、を備えるバオセンサーにおいて、一方で前記多重電極（４）は、前記電気端子（５）が一まとめにされる別の極端な領域とは反対側の極端な領域（１ａ）に配置され、他方で前記支持部（２）は２つの前記極端な領域間に位置する少なくとも１つの可撓性領域（１ｃ）を含むことを特徴トスルバイオセンサーを提供する。
2005534004.tif 000002
【特許請求の範囲】
【請求項１】
バイオセンサーであって、
少なくとも１つの有効面（２０）を備える、電気的又は電子的な絶縁支持部（２）と、
何れか所定の作動装置の前記支持部の前記有効面（２ａ）に配置され、かつ前記電極が、例えば、液体のような１つ且つ同じ外部媒体と接触し得る意味合いで露出された電気的又は電子的な導電性電極（３１、３２）と、
各々がそれぞれ異なる電極（３１、３２）に多様に取り付けられる複数の配位子と、
前記支持部（２）の有効面（２ａ及び２ｂ）に配置され、かつ前記端子が電気的又は電子的に互いに対して別々に前記外側に接続し得るという意味合いで露出される、前記電極（３１）にそれぞれ対応する多重電極端子（４）と、
各々が前記多重電極（３１及び３２）を前記多重端子（４）にそれぞれ接続する、前記支持部（２）の面の一方（２ａ）及び／又は他方（２ｂ）に沿って延びる電気的又は電子的な導電性トラック（５）と、
一方で少なくとも部分的に前記トラック（５）を覆い、他方で前記電極（３１、３２）と前記端子（５）の両方を露出させる前記支持部（２）の一方の面（２ａ）及び／又は他方の面（２ｂ）を被覆する電気的又は電子的絶縁材料から成る層（６）と、を備えるバオセンサーにおいて、
一方で前記多重電極（４）は、前記電気端子（５）が一まとめにされる別の極端な領域とは反対側の極端な領域（１ａ）に配置され、他方で前記支持部（２）は２つの前記極端な領域間に位置する少なくとも１つの可撓性領域（１ｃ）を含むことを特徴トスルバイオセンサー。
【請求項２】
前記支持部全体に可撓性があることを特徴とする、請求項１に記載のバイオセンサー。
【請求項３】
前記可撓性領域は、前記電極（３１、３２）の作動装置及び電気端子（５）のグループの整合方向に直角な方向を有する少なくとも１つの軸線の周りで曲げることができることを特徴とする、請求項１に記載のバイオセンサー。
【請求項４】
前記支持部（２）は絶縁材で作られた可撓性シートであることを特徴とする、請求項１に記載のバイオセンサー。
【請求項５】
各電極は、互いに接続された２つの隣接した端部（３１、３２）を有することを特徴とする、請求項１に記載のバイオセンサー。
【請求項６】
少なくとも１つの他の電気的又は電子的な導電性トラック（７）が前記支持部の有効面（２ｂ）に配置された別の電気端子（８）間で、前記支持部の一方の面（２ａ）及び／又は他方の面（２ｂ）に沿って延び、前記電気端子は参照電位に連結されるために露出され、及び端部（８ａ）が前記電気的又は電子的な絶縁材料から成る層（９）で覆われることを特徴とする、請求項１に記載のバイオセンサー。
【請求項７】
前記他の導電トラック（７）は前記電極（３１、３２）の装置のシールドに割り当てられることを特徴とする、請求項６に記載のバイオセンサー。
【請求項８】
２つの他の電気的又は電子的な導電性トラック（７、１０）が参照電位に連結されるために２つの他の電気端子（８、１１）の間に延び、これらは前記記支持部（２）の一方の面（２ａ）及び他方の面（２ｂ）に配置され、２つのそれぞれの端部（８ａ、１０ａ）は各々が前記電気的又は電子的な絶縁材料で覆われることを特徴とする、請求項６に記載のバイオセンサー。
【請求項９】
少なくとも１つの電気端子（４）が前記支持部の他方の面（２ｂ）に配置され、これは有効面でもあり、これに相当する前記トラック（５）が前記支持部（２）の厚さを貫通することを特徴とする、請求項１に記載のバイオセンサー。
【請求項１０】
センサー（１）の使用方法であって、
バイオセンサーを得るために、
少なくとも１つの有効面（２０）を備える、電気的又は電子的な絶縁支持部（２）と、
何れか所定の作動装置の前記支持部の前記有効面（２ａ）に配置され、かつ前記電極が、例えば、液体のような１つ且つ同じ外部媒体と接触し得る意味合いで露出された電気的又は電子的な導電性電極（３１、３２）と、
前記支持部（２）の有効面（２ａ及び２ｂ）に配置され、かつ前記端子が電気的又は電子的に互いに対して別々に前記外側に接続し得るという意味合いで露出される、前記電極（３１）にそれぞれ対応する多重電極端子（４）と、
各々が前記多重電極（３１及び３２）を前記多重端子（４）にそれぞれ接続する、前記支持部（２）の面の一方（２ａ）及び／又は他方（２ｂ）に沿って延びる電気的又は電子的な導電性トラック（５）と、
一方で少なくとも部分的に前記トラック（５）を覆い、他方で前記電極（３１、３２）と前記端子（５）の両方を露出させる前記支持部（２）の一方の面（２ａ）及び／又は他方の面（２ｂ）を被覆する電気的又は電子的絶縁材料から成る層（６）と、を備えるバイオセンサーの使用方法。
【発明の詳細な説明】
【技術分野】
【０００１】
本発明はセンサーに関し、より詳細には分子生物学分析ツールとして使用するバイオセンサーに関する。
【背景技術】
【０００２】
この用語「バイオセンサー」は、対象とする液体又は流体、不動又は可動試料を受容する少なくとも１つの分離且つ補償装置又は機と協働するように構成及び／又は意図された、例えば、分子生物学の同定の目的のために使用する一度だけの使用のための機能的な組立体を意味するものとして理解される。前記液体試料は、懸濁液内又は溶液内の少なくとも１つの目標試料、例えば、随意にはラベル付けされた生体分子を備える。また、バイオセンサーは、前記目標種の量の存在及び／又は性質及び／又は構造及び／又は量に関する少なくとも１つの出力信号を伝送する。例えば、約１センチメートルの小さなバイオセンサーについては、これは、当該技術分野で用いられる用語により「バイオチップ」と呼呼称し得る。
【０００３】
バイオセンサーは少なくとも、試料と接触する作用面を備える有効面を具備する支持部を備える。前記材料と前記試料との間に実際に相互作用がないという意味合いで、支持部の材料が不活且つ実質的に電気的に非導電性を有する。しかしながら、特に、共有化学結合タイプの強い接合により、あるいは水素結合のおような弱い接合により、表面張力のような物理的タイプの他の相互作用は排除されない。例えば、こうした支持部を構成する材料は、プラスチック、例えば、熱可塑性樹脂、例えば、ポリプロピレンである。バイオセンサーは少なくとも、作動面に亘って所定の態様で分配された単元的なサイトの作動配置構成を備える。各単元的なサイトはアドレス指定される。すなわち、サイトに特有な座標によって識別される。これらの単元的サイトは、後述する配位子」を取り付けたりあるいは固定するために、それ自体、随意に処理される。この処理は以下の６つの従来技術文献に開示される技術により、例えば、変更したポリピロールのような電気的導電重合体の層で被覆することから、例えば、構成し得る（例えば、特許文献１乃至６参照）。この処理が完了する時、支持部上に得られるのは、用いた作動配置構成の支持部の有効面に配置され、かつこれらの電極が１つ及び同じ外部液体媒体と接触されるようにされるという意味合いで露出される、電気的又は電子的な多重導電性電極である。バイオセンサーは少なくとも、種々の単元的な電極をそれぞれ具備する電気的又は電子的タイプの１組の接続、すなわち回路を備える。１組の前記接続は他の単元的電極から独立して個々に接続するように構成される。例えば、支持部の有効面上に配置され、かつ前記端子が電気的又は電子的に互いに対して独立した外部に接続し得るという意味で露出される（例えば、特許文献７参照）。バイオセンサーは少なくとも電気的又は電子的な導電性トラックを備える。各トラックは支持部の面の一方及び／又は他方上を延びて、多重電極を多重端子にそれぞれ接続する。１組の前記接続は、従って、電気端子と、これらにそれぞれ接続される電極及び対向電極とから成る多重電気又は電子回路である。バイオセンサーは少なくとも例えば、ラッカーのような、支持部の一方の面及び／又は他方の面を被覆し、一方で、少なくとも部分的に前記トラックを覆い、他方で、電極及び端子の両方を露出する総を備える。
【０００４】
例えば、約１ｍｍ２から数ｃｍ２までのこれらのバイオセンサーの寸法は、これらのセンサーを作り出すために、”マイクロ技術”又は”ナノテクノロジー”、例えば、リソグラフィー又はマイクロ機械加工の使用を要し得る。
【０００５】
しかしながら、用語”センサー”、”バイオセンサー”又は”バイオチップ”が、以下に規定するのと同じ構造又は同じ配置構成が、まさにより大きな寸法と共に、数ｍｍ２のオーダーの寸法で使用し得ることを考慮して本願明細書及び添付の特許請求の範囲で使用される時には、出願人は、例えば、１μｍ又は１ｎｍのオーダーの特定寸法に限定する意図はない。
【０００６】
勿論、もしそれ自体の駆動電源がそれに組み込まれていなければ、本発明によって考慮されるようにバイオセンサーは自動的に作動しない。結果的に、このバイオセンサーは、一方では対象とする液体試料を作るが、洗浄液体のような他の流体又は液体も作動面及び配位子」と接触して循環又は留まるが、他方では、単数又は複数の出力信号を検出し及び処理するための手段であって、これは、例えば、何れかの流れ図又はソフトウェアにより、外部の、アナログ又はコンピュータにより一般的に監視且つ制御される。
【０００７】
”生体分子”という用語は、自然界に存在する何れかの分子に等価又は由来する、何れかの存在、特に生物化学又は生物学的存在を意味するものとして理解される。本発明によって考慮される生体分子の中でも、例えば、ＤＮＡ及びＲＮＡのような或る生体高分子、オリゴヌクレオチド、ポリヌクレオチド、機能性プロテイン又は構造プロテイン、ペプチド、オリゴペプチド及びポリペプチド、澱粉等を言及し得る。
【０００８】
”ラベル付け”又は”ラベルが付けられた”は、ラベルが、例えば、目標試料のような存在物にカバー又は外の態様で取り付けられる特徴を意味するものと理解される。前記ラベル付けは、照明のような外部手段と共に又は無しに、及びそれに基板を接触させる段階の１つのような継続段階と共に又は無しに、上記で出力信号として引用された、信号を生成するための置換又は残基である。
【０００９】
本発明による好ましいラベルは、ハプテン、例えば、ストレプタビデン−フィコエリトリン対を取り付けるビオチン、発蛍運体(fluorophores)、例えば、フルオレスセイン、シアニン染料、フィコエリトリン、光担運体、ルミノール、イソルミノール、ＡＢＥＩ（Ｎ−４−アミノブチル−Ｎ−エチルイソルミノール）及び、例えば、クロモゲンの酸化用エンチーム、ホースラディッシュ、ペロキシダーゼ、アルカル性ホスファターゼを参照。
【００１０】
”決定”という用語は質及び／又は量の同定、検出、種類（例えば、配列決定）、質及び／又は量を同定する場合に、”検体”と呼称し得る目標試料の分離又濃縮化を意味するものとして理解される。本発明によれば、用語”決定”は、ＤＮＡ又はポリペプチドタイプの生体分子の何れかの配列決定を含む。
【００１１】
決定のための単数又は複数の出力信号は使用されるラベルに依存し、かつ要求される検出のタイプに基づいて、何れかの適切なタイプとし得る。これらは、可視光信号又は不可視光信号、電気信号、電気光学信号、電気化学信号等とし得る。さらにまた、これらの信号は、一方で、バイオセンサー電極のアドレス指定、他方で、電気端子の種々のそれぞれの電極に対する接続はバイオセンサー上に現われることを考慮して適切な箇所は分離して検出し得る。
【００１２】
用語”配位子”は目標種に対する特定又は非特定類似性を有する何れかのセル又は生物学的存在（すなわち生体分子）をも意味するものとして理解される。親和性は、目標種が配位子と接触されるようになされる状況下で、前記目標試料と前記配位子との間の安定した複合体又は対体を形成することを意味する。配位子の例として、弱い接合によって結合することができる任意のオリゴヌクレオチドに言及し得る。この場合、配位子の混成に対する補足的な手順を有するＤＮＡストランド（目標試料）との混成に言及する。
【００１３】
各配位子は、おそらくは支持部の作動面の単元的サイトの機能化後に、例えば、化学手段、のような何れか適切な手段、例えば、スペーサーアームによる共有結合、あるいは吸着・吸収によって、バイオセンサーの各サイト又は各電極に取り付けられるか又は固定される。
【００１４】
被覆された単元的なサイトに関して、上述したように、ポリシオフェン又は変更されたポリピロールタイプ及び電気的にアドレス指定された重合体によって、ＦＲ２７８９４０１、ＥＰ１１５２８２１、ＷＯ００／４７３１７、ＦＲ２７４２４５１、ＥＰ０８６８４６ に記載の電気化学技術を使って固定し得る。
【００１５】
用語”目標試料”は、弱い接合によって１つ以上の配位子」に接合することができる何れかの生物学的又は生化学的セル種を意味するものとして理解される。
【００１６】
バイオチップタイプのバイオセンサーに関して、当該技術分野の技術的現状では、それぞれ異なる配位子を得る２つのルート間は区別し得る。各々は種々の電極にそれぞれ多様に固定される。本来のルートは、一連の連続する増分された操作によって、種々の単元的サイトに取り付けられた第１ユニットから、種々の配位子単元的なユニットから単元的なユニット、例えば、ビットからビットまで、一緒に、それ自体の作動表面上で合成し、種々の配位子に用いられたそれぞれのシーケンス順である。この点に関して、読者は文献ＦＲ  ２７０３３５９、ＥＰ０６９１  ９７８、ＷＯ９４／２２８８９、ＵＳ５７４４３０５、ＵＳ６０１５８８０、ＷＯ９５／２５１１６及びＥＰ０７５０６２９を参照し得る。及び、作動表面から離れたそれぞれの異なる配位子を合成又は得ること、種々の配位子を取り付けること、前記単元的サイトの区別された（アドレス指定されたので）電気的活性化によるそれらのそれぞれ異なる単元的サイトの各々が多様である。文献ＦＲ２７０３３５９、ＥＰ０６９１９７８、ＷＯ９４／２２８８９、ＷＯ０１／５１６８９及びＵＳ６０９０９３３を参照のこと。
【００１７】
現在、バイオチップタイプのバイオセンサーは単純であるか又は分子生物学の全ての種類の分析に上手く適した複雑なツールである。M. Cuzin, Transfusion Clinique et Biologique 2001;8:291-6;の“ＤＮＡチップ：”遺伝子解析及び診断用の新ツール“、及びMichael C. Pirrung, Angew.,hem. Int.Ed 2002.41, 1276, 1289.”ＤＮＡチップを作る方法“を参照。
【発明の開示】
【発明が解決しようとする課題】
【００１８】
一般に、上述したようなバイオセンサーは、容器、マイクロタイトレーションの底に配置される。その内部で、目標試料を備える液体試料が導入され、存在し、かつこの容器から除去される。
【課題を解決するための手段】
【００１９】
本発明の主題はセンサー、特にバイオセンサー、例えば、バイオチップである。これは製造するか又は生産するのに特に単純であり、例えば、最もマイクロプレートの容器において最も変更された方法で使用することができる。
【００２０】
好ましくは、全支持部は、曲げ易く、例えば、薄く、曲げ易い絶縁材料で生産される。
【００２１】
本発明によれば、一方では、電極の多重度は、電気端子が一まとめにされる別の極端な領域から反対側の極端な領域に置かれる。また、他方では、支持部は、２つの極端な領域間に位置した少なくとも１つの曲げ易い領域を含む。
【００２２】
用語”曲げ易い（可撓性のある）”は、作動配置構成及び電気端子のグループの整合方向に直角な方向を有する少なくとも１つの軸線の周りに曲げることができることを意味するものとして理解されている。
【００２３】
好ましくは、その支持部は絶縁材料で作られた曲げ易いシート又はプレートである。
【００２４】
本発明により、センサーの純粋に電気的領域はその活性領域、すなわち、電極を有し且つこれらを一緒に一まとめにする領域に対して遷移される。これに配位子がそれぞれ取り付けられる。２つの前記極端な領域間の少なくとも中間領域における、支持部の可撓性により、電気端子及び電極をそれぞれ有する２つの極端な領域間の何れかの相対的な位置を許容することによってこれはなされる。
【００２５】
したがって、電極は液体溶液に浸漬し得る。一方、電気端子は開放空気及び／又は乾燥空気にある。これは、優れた技術的又は実際条件下で達成することを可能にする。別の極端な領域での電気的検出による測定を備えた極端な領域での配位子のアドレス指定。アドレス指定する段階の間の品質管理、それぞれの電極上のプローブか配位子、および混成段階（配位子の対化）１つ以上の対象とする目標種を備えた支持部に付けられた）、例えば、各結合部位でインピーダンスを測定されたことによって、インピーダンス測定はそれがアドレス指定され、それが交配されるかどうかに依存する各サイトで異なる；
そして滴定マイクロプレーンに関して、分離、の間に極端な領域、その活性領域（それは電極を有する領域である）と共に、各々に本発明によるセンサーを配置することを可能にする。そしてその電気的な領域、それは周囲上で、電気端子を有する領域である。
【００２６】
本発明によるセンサーは、慣用のアプローチとは完全に異なるアプローチでバイオチップを作り上げて使用することを可能にする。全く同一の縮み支柱中のバイオチップを作り上げて、次に、これをカットすること；役に立つ場所の配座に適応されることにより、ｍｉｃｒｏｔｉｔｒａｔｉｏｎプレートの井戸の底にその使用の場所へ例えば各カット・バイオチップを移すこと。
【発明を実施するための最良の形態】
【００２７】
添付図面を参照して本発明を説明する。
【００２８】
図１及び図２によれば、センサー（１）、特に本発明によるバイオセンサーは、上面に対応する有効面（２ａ）と、下面に対応する使用し得る別の面（２ｂ）と、を備える、例えば、ポリイミド製の電気的又は電子的絶縁支持部（２）と、電気的又は電子的に導電性があり且つ何れかの所定作動装置の支持部の有効面（２ａ）に配置され、かつ前記電極が、例えば、対象となる液体試料のような１つ且つ同じ外部媒体と接触するようになし得る、各電極（３１）が電極（３２）に接続されるか、あるいは互いに接続された少なくとも２つの隣接する端部（３１）、（３２）を具備する多重電極（３１、３２）と、前記支持部（２）の有効面（２ａ及び２ｂ）に配置され、かつこれらの端子が電気的又は電子的に互いに対して別々に前記外側に接続し得るという意味合いで露出される、前記電極（３１）にそれぞれ、対応する多重電極端子（４）と、各々が前記多重電極（３１及び３２）を前記多重端子にそれぞれ接続する、前記支持部（２）の面の１つ（２ａ）及び／又は他（２ｂ）に沿って延びる、例えば、ニッケル／金合金又は銅／金合金で作られた電気的又は電子的に導電性がある多重導電トラック（５）と、一方で少なくとも部分的に、あるいは別様に前記トラック（５）を完全に覆い、他方で前記電極（３１、３２）と前記端子（５）の両方を露出する、前記支持部（２）の一方の面（２ａ）及び／又は他方の面（２ｂ）を被覆する、例えば、ラッカーのような、電気的又は電子的絶縁材料から成る層（６）と、を備える。
【００２９】
本発明によれば、一方で、多重電極（４）は、多重電極端子（５）が互いにグループ化される領域（１ｂ）から反対側の領域（１ａ）に配置され、他方で、用いた絶縁材料の可撓性による前記支持部（２）は、少なくとも中間領域（１ｃ）で、少なくとも、領域（１ａ）における前記電極（３１及び３２）及び領域（１ｂ）の電気端子（５）のグループの作動装置の整合方向に直角な方向を有する少なくとも１つの軸線周りに曲げやすく構成される。
【００３０】
電極（３１）及び電極（３２）から成る各組立体は互いに連結された２つの隣接する端部を具備する１つ及び同じものとして見得る。
【００３１】
図３に示す実施形態によれば、別の電気的又は電子的な導電性トラック（７）は、支持部の面（２ｂ）に配置された別の電気端子（８）から、こうして有用になる支持部の他の面（２ｂ）に沿って延びる。これらは、それぞれ、支持部（２）の一方の面（２ａ）及び他方の面（２ｂ）に配置される。２つのこれらの端部（８ａ）及び（１０ａ）の各々は、例えば、ラッカーのような電気的又は電子的な絶縁材料で被覆される。
【００３２】
もちろん、上述した装置は有効面（２ａ）に適用することができる。
【００３３】
図４に示す実施形態によれば、２つの電気的又は電子的な導電性トラック（７）及び（１０）は、基準電位に接続されるために２つの他のそれぞれの電気端子（８及び１１）間に延びる。これらは、それぞれ、支持部（２）の一方の面（２ａ）及び他方の面（２ｂ）に配置される。２つのこれらの端部（８ａ）及び（１０ａ）の各々は、例えば、ラッカーのような電気的又は電子的な絶縁材料で被覆される。
【００３４】
このように記載されたトラック（７）及び／又はトラック（１０）は、何れかの電磁放射がアドレス信号又は測定信号と干渉しないように阻止するように電極（３１及び３２）の配置構成の電気シールドに割り当て得る。
【００３５】
図５に示すように、少なくとも１つの電気端子（４）が支持部（２）の他の面（２ｂ）に配置される。これは本発明の範囲内の有効面でもある。これに相当するトラック（５）は支持部（２）の厚さを通過する。随意には液体に接触する、パッドが、前記液体の外側の領域で電気的にアクセス可能であるように、この配置構成は、パッド（３１）の反対側で電気的接触をすることを可能にする。
【００３６】
バイオチップタイプのバイオセンサーに関して、複数の配位子」の各々はそれぞれの異なる電極（３１及び／又は３２）に多様に固着される。
【００３７】
[実施例]
本発明のセンサー、すなわち”フレックスチップ”が、アドレス指定の前後、混成の前後に、以下の参照符号を付けられた部材と共に図６に略示するように用いられる。
１）センサー、
２０、２１）容器（液体（２１）が配される）、
２２）参照電極、
２３）電位差計、
２４）監視及び制御要素、
２５）供給モジュール、
２６）地面、
２７）対向電極。
【００３８】
本発明によるフレックスチップは以下のようにアドレス指定される。フレックスチップ（１）は２０ｍＭのピロールと、１μＭのＯＤＮｉピロールと、を含む共重合体溶液（１）に浸漬される（２００００ピロールユニット毎の１ＯＤＮピロールユニット）。＋１Ｖ（ＳＣＥ）の電位は接触パッド毎にー２．７ｍＣ．ｃｍ−２に等しい電荷を通過させるのに必要な時間ｔに対して適用される。別のＯＤＮ（ＯＤＮオリゴヌクレオチド）によって他の接触パッドをアドレス指定することを所望する場合には、このフレックスチップ（１）は移動され且つイオンを除去した水で洗浄される。次に、フレックスチップ（１）は同じピロールモル比を含むが、異なるＯＤＮ（ＯＤＮ２）を具備する溶液（２１）に再浸漬される。そして、これらの操作はｎ回繰り返される。ｎは、これらが全てアドレス指定されるまでの、接触パッド（３１、３２）の数である。
【００３９】
例えば、配置されたプローブのヌクレオチド配列は以下のようである。
【００４０】
【表１】
2005534004.tif 000003
【図面の簡単な説明】
【００４１】
【図１】本発明によるバイオチップタイプのバイオセンサーを拡大して示す図である。
【図２】図１に示すバイオチップの図１のＩＩ−ＩＩ線上の概略断面図である。
【図３】本発明の他の実施形態を示す図である。
【図４】本発明の他の実施形態を示す図である。
【図５】本発明の別の実施形態を実行する１つの方法（図２に示す表示の左方端における）の詳細を示す図である。
【符号の説明】
【００４２】
１  センサー
１ａ、１ｂ  領域
１ｃ  中間領域
２  支持部
２ａ  有効面
２ｂ  別の面
４  多重電極端子
５  トラック
６  層
７  トラック
８、１１  電気端子
８ａ、１０ａ  端部
１０  トラック
２０  有効面
２１  容器
２２  参照電極
２３  電位差計
２４  監視及び制御要素
２５  供給モジュール
２６  地面
２７  対向電極
３１、３２  電極
【図１】
2005534004.tif 000004
【図２】
2005534004.tif 000005
【図３】
2005534004.tif 000006
【図４】
2005534004.tif 000007
【図５】
2005534004.tif 000008
【図６】
2005534004.tif 000009
【国際調査報告】
2005534004.tif 000010
2005534004.tif 000011
2005534004.tif 000012
2005534004.tif 000013
2005534004.tif 000014
2005534004.tif 000015
2005534004.tif 000016
2005534004.tif 000017